(57)【要約】【課題】画像形成装置などの機器の排気ファンから発生する騒音を低減する排気装置で、騒音低減と同時に放熱効率の向上を実現する。【解決手段】排気装置７は、画像形成装置１の表面付近に設けられる複数の排気ファン２〜６を覆うように装着される。排気装置７の複数の流出口１６〜１９のうち、オゾン除去や集塵を必要とする気流を案内する流路の流出口１７にオゾン除去フィルター又は集塵フィルター２３が配置される。複数の排気ファンから排出される複数の排気流は、排気装置７の内部の仕切りによって分離された個別の流路に進入する。オゾン除去や集塵を必要とする気流を案内する流路の流出口にのみオゾン除去フィルターあるいは集塵フィルターを配置すれば、オゾン除去や集塵といったフィルター効果の過不足や流量損失の増大を防げる。【選択図】図４
2016031428.tif 000002
【特許請求の範囲】
【請求項１】
流路面積が拡大する流路を１つ以上内部に設け、
前記流路のうち、オゾン除去や集塵を必要とする気流を案内する流路の流出口に、オゾン除去フィルターまたは集塵フィルターを設けたことを特徴とする排気装置。
【請求項２】
前記流路の内壁面を多孔質部材によって形成したことを特徴とする請求項１に記載の排気装置。
【請求項３】
被搭載装置から着脱が可能であることを特徴とする請求項１又は２に記載の排気装置。
【請求項４】
請求項１乃至３のいずれかに記載の排気装置を搭載した画像形成装置。
【発明の詳細な説明】
【技術分野】
【０００１】
本発明は、画像形成装置などの機器の排気ファンから発生する騒音を低減させる排気装置と、これを備えた画像形成装置に関する。
【背景技術】
【０００２】
画像形成装置に用いられる定着ヒータや駆動部品からは大量の熱が放出される。そのため、熱を装置外に逃がすための冷却ファンが装置表面付近に設けられる。しかし、冷却ファンは騒音を発するため、これがオフィスや家庭で問題となる。そこで、ファン排気流路の工夫や消音機構によって機器の騒音低減を図る技術が既に知られている。
【０００３】
しかし、従来の騒音低減を図る技術では、排気流路の長大化や形状複雑化により、圧力損失が発生し、機器外に排出される排気流量が減少することが多い。そのため、騒音低減と放熱効率向上の同時実現ができないという問題があった。
【０００４】
特許文献１には、排気ファンの騒音を低減する目的で、排気ファンの外側に、流路の一部が拡大した形状の膨張型消音器を備えた排気装置が開示されている。しかし、放熱効率向上という形での問題解決はなされていない。
【発明の概要】
【発明が解決しようとする課題】
【０００５】
そこで本発明は、画像形成装置などの機器の排気ファンから発生する騒音を低減する排気装置で、騒音低減と同時に放熱効率の向上を実現することを目的とする。
【課題を解決するための手段】
【０００６】
本発明に係る排気装置は、流路面積が拡大する流路１つ以上を形成し、前記流路のうち、オゾン除去や集塵を必要とする気流を案内する流路の流出口に、オゾン除去フィルターまたは集塵フィルターを設けたことを特徴とする。
【発明の効果】
【０００７】
本発明によれば、画像排気装置などの機器の排気ファンから発生する騒音を低減すると同時に、放熱効率を向上させることができる。
【図面の簡単な説明】
【０００８】
【図１】排気装置の全体構成について示す図である。
【図２】排気装置の形状について示す図である。
【図３】吸音材の効果について示す図である。
【図４】排気ファンと排気流を案内する流路およびフィルター類を配置した気流シミュレーションで得られた風速分布を示す図である。
【図５】排気装置の着脱について示す図である。
【発明を実施するための形態】
【０００９】
本発明の実施の形態を説明する。本発明は、機器の排気処理に際して、以下の特徴を有する。
要するに、１つ以上の排気ファンの外側に装着された排気装置が、流路面積が拡大する流路を１つ以上形成し、これらの流路のうち、オゾン除去や集塵を必要とする気流を案内する流路の流出口に、オゾン除去フィルターあるいは集塵フィルターが設けられる構成を有する。
そのことで、拡大する流路により排気流速が減少し、オゾン除去フィルターあるいは集塵フィルター通過時の流量損失が減少するため、排気装置の遮音効果による騒音低減と同時に放熱効率を向上させることが特徴になっている。排気装置を装着せず、排気ファン直下にフィルター類が配置される場合に比べ、流量損失が小さく、放熱効率が向上する。
また、流路を分離することで、複数の気流の衝突による乱流発生を防ぐ。オゾン除去や集塵を必要とする気流に対してのみオゾン除去フィルターや集塵フィルターを配置できる。さらに、複数の流路を個別に拡大することが可能になり、放熱効率やサイズの調整が容易になる。
そして、画像形成装置に設けた排気装置の排気ファンから発生する騒音を低減すると同時に、放熱効率を向上させることができる。
【００１０】
前記本発明の特徴について、以下に図面を参照して説明する。
図１は、排気装置の全体構成について示す図である。
排気装置７は、画像形成装置１の表面付近に設けられる複数の排気ファン２〜６を覆うように装着、搭載される。そして、排気装置７の複数の流出口のうち、オゾン除去や集塵を必要とする気流を案内する流路の流出口にのみオゾン除去フィルターや集塵フィルター８、９が配置される。
【００１１】
図２は、排気装置の形状について示す図である。
まず、排気装置の形状に関して説明する。図２（ａ）は、排気装置７を流入口側から見た図であり、図２（ｂ）は、図２（ａ）の反対側から見た図である。図２（ａ）から分かるように、排気装置７は、複数のファンから排出されるそれぞれの排気流を案内する個別の流路を結合したものである。図２（ｃ）は後述する。
【００１２】
次に、図１中に示した排気ファン２〜６から流入口１０〜１４および流出口１５〜１９を通過する気流の流れを説明する。
排気ファン２から排出された排気流は、流入口１０から排気装置７に進入し、流出口１５から装置外に排出される。
排気ファン３から排出された排気流は、流入口１１から排気装置７に進入し、流出口１６から装置外に排出される。
排気ファン４から排出された排気流は、流入口１２から排気装置７に進入し、流出口１７から装置外に排出される。
排気ファン５から排出された排気流は、流入口１３から排気装置７に進入し、流出口１８から装置外に排出される。
排気ファン６から排出された排気流は、流入口１４から排気装置７に進入し、流出口１９から装置外に排出される。
【００１３】
次いで、騒音低減に関して説明する。
図３は、吸音材の効果について示す図である。
複数の排気ファンから発生する騒音は、それぞれの流路の壁面において遮音され、騒音が低減される。また、排気装置７により気流が下向きに案内されるため、周囲にいる人が受ける騒音が低減される。
図３は、排気ファン出口に、多孔質部材である吸音材で内壁面を構成した流路を取り付けた場合における、吸音材の面積変化に対する騒音の推移を示している。吸音材の面積増加に伴い、吸音効果により騒音が低減されるのが分かる。排気装置７においても、それぞれの流路内壁面を多孔質部材である吸音材で構成することで、さらなる騒音低減が可能である。すなわち、多孔質部材の吸音効果が利用できる。
なお、画像形成装置に本実施形態に係る排気装置７（流路内壁を吸音材で構成）を装着したところ、約３．５ｄＢの騒音低減が確認できた。
【００１４】
放熱効率の向上に関して説明する。
図４は、放熱効率の向上について示す図である。詳細には、排気ファンと排気流を案内する流路およびフィルター類を配置した気流シミュレーションで得られた風速分布を示す図である。
図４（ａ）は、排気ファン２０直下にオゾン除去フィルターあるいは集塵フィルター２１を配置した場合の風速分布を示す。図４（ｂ）は、流出口にオゾン除去フィルターあるいは集塵フィルター２３を配置した場合の風速分布を示す。
【００１５】
図４（ａ）では、排気ファン２０の羽部直下において、局所的に勢いの強い排気流が集中していることが分かる。オゾン除去フィルターあるいは集塵フィルターを気流が通過する際の流量損失は、流速が大きいほど大きい性質がある。したがって、図４（ａ）のオゾン除去フィルターあるいは集塵フィルター２１の配置は、流量面で不利である。一方、図４（ｂ）では、排気ファン２２から出た排気流が、流出口に配置されたオゾン除去フィルターあるいは集塵フィルター２３を通過する際には、風速分布は全体で平均化され、局所的に勢いの強い排気流は見られない。したがって、図４（ｂ）の配置の方が、図４（ａ）の配置よりも排気流量が大きくなり、放熱効率が高い。
【００１６】
図２（ｃ）は、排気装置７のうち、流入口１２から流出口１７に案内される気流の流路のみを表示したものである。このように、それぞれの流路は流入口から流出口にかけて流路面積が拡大していく形状を有している。このような形状を有することで、流速は次第に小さくなり、流出口に配置されたオゾン除去フィルターあるいは集塵フィルターを通過する際の流量損失は小さくなるため、排気流量が大きくなる。
【００１７】
以上のように、排気装置７は、オゾン除去フィルターあるいは集塵フィルターを流出口に配置し、かつ流路が拡大する形状を有することで、排気装置を装着しない場合に比べて、排気流量を大きくし、放熱効率を高くすることができる。
【００１８】
さらに、フィルターの選択的な配置に関して説明する。
複数の排気ファンから排出される複数の排気流は、排気装置７の内部の仕切りによって分離された個別の流路に進入する。そのため、オゾン除去や集塵を必要とする気流を案内する流路の流出口にのみオゾン除去フィルターあるいは集塵フィルターを配置できるため、オゾン除去や集塵といったフィルター効果の過不足や流量損失の増大を防ぐことが可能になる。
【００１９】
図５は、排気装置の着脱について示す図である。
図５（ａ）は、排気装置７を粘着テープＡによって、画像形成装置に取り付けた例の図である。また、図５（ｂ）は、排気装置７を締結部材Ｃによって、被搭載装置である画像形成装置１の機器本体に搭載した例である。このように、排気装置７は容易に画像形成装置１との着脱ができるため、機器の移動やメンテナンスが容易である。
【００２０】
本発明は以上説明した実施形態に限定されるものではなく、多くの変形が本発明の技術的思想内で当分野において通常の知識を有する者により可能である。
【符号の説明】
【００２１】
１        ：画像形成装置
２〜６        ：排気ファン
７        ：排気装置
８、９        ：オゾン除去フィルター又は集塵フィルター
１０〜１５      ：流出口
１６〜１９      ：流出口
２０、２２      ：排気ファン
２１、２３      ：オゾン除去フィルター又は集塵フィルター
Ａ        ：粘着テープ
Ｃ        ：締結部材
【先行技術文献】
【特許文献】
【００２２】
【特許文献１】特開２００３−１５００２６号公報
【図１】
2016031428.tif 000003
【図２】
2016031428.tif 000004
【図３】
2016031428.tif 000005
【図４】
2016031428.tif 000006
【図５】
2016031428.tif 000007